(57)【要約】      （修正有）【課題】携帯式テープカッター構成を提供する。【解決手段】携帯式テープカッター構成は、内側空間に主要組立用部材、収容溝及び位置決め用リブが設置される後蓋１と、前記収容溝に装設される弾性部材２と、押し部、押下部、プラットフォーム、孔部、圧縮用バンプ、係合リング及び挟持用スライダーが設置され、前記後蓋に装設され、前記主要組立用部材には前記孔部が貫通させ、前記挟持用スライダーが前記位置決め用リブに着接され、前記圧縮用バンプが前記収容溝前端に位置されるプッシュ用キャリアー３と、中空の回転軸、弧状の当接部及びカッターが設置され、前記回転軸により前記主要組立用部材に装設される回転カッターセット４と、前記係合リングに結合され、テープ先が前記プラットフォームに静置されるテープロール５と、前記後蓋に固定されるように結合される前蓋６とを備える。本考案は開口部及び出口部を有し、前記押し部は前記開口部に位置され、携帯式テープカッター構造が形成される。【選択図】図９
0003215593.tif 000002
【実用新案登録請求の範囲】
【請求項１】
前端に出口部が設けられ、上面に開口部が設けられ、内側空間に主要組立用部材、収容溝及び位置決め用リブが設置される後蓋と、
前記収容溝内に装設される弾性部材と、
プレートの前側面の上端に押し部が設けられ、前記押し部からは押下部が前に向けて延伸され、前記前側面にはバンプ部及びプラットフォームが設置され、前記プレートには孔部が設けられ、前記プレートの後側面には圧縮用バンプが設置され、前記プレートの後端には係合リングが設置され、前記係合リングの背面には挟持用スライダーが設置され、前記後蓋に装設され、且つ前記主要組立用部材は前記孔部に貫設され、前記挟持用スライダーは前記位置決め用リブに着接され、前記圧縮用バンプが前記収容溝及び前記弾性部材の前端に位置され、前記押し部が前記開口部に位置されるプッシュ用キャリアーと、
フレーム部の後端に中空の回転軸が設置され、前記フレーム部の上端には弧状の当接部が設けられ、前記フレーム部の前端にはカッターが装設され、前記回転軸により前記後蓋の前記主要組立用部材に装設され、前記バンプ部は前記フレーム部の底面に当接される回転カッターセットと、
前記係合リングに結合され、引き出されたテープ先が前記プッシュ用キャリアーの前記プラットフォームに平らに静置されるテープロールと、
前端に出口部が設けられ、上面に開口部が設けられ、前記後蓋に固定されるように結合され、完全な携帯式テープカッター構造が形成される前蓋とを備えることを特徴とする携帯式テープカッター構成。
【請求項２】
前記後蓋の前記出口部には組立用部材が設置され、抑制用ホイールが装設され、前記前蓋の前記出口部には組立用凸部が設けられ、前記組立用部材及び前記組立用凸部が着接された後に完全な組立用部材となることを特徴とする請求項１に記載の携帯式テープカッター構成。
【請求項３】
前記前側面には結合用部材が設置され、前記結合用部材により補助ロールが装設され、前記補助ロールにはリブが設けられることを特徴とする請求項２に記載の携帯式テープカッター構成。
【請求項４】
前記後蓋にはカッター収容溝が設けられ、前記前蓋にはカッター収容溝が設けられ、２つの前記カッター収容溝により完全に連通される溝が形成されることを特徴とする請求項３に記載の携帯式テープカッター構成。
【請求項５】
前記後蓋の前記出口部には停止用凸部が設けられ、前記前蓋の前記出口部には停止用凸部が設けられることを特徴とする請求項４に記載の携帯式テープカッター構成。
【請求項６】
前記プラットフォームにはリブが設けられることを特徴とする請求項５に記載の携帯式テープカッター構成。
【請求項７】
前記フレーム部の底面には当接用バンプが設置されることを特徴とする請求項６に記載の携帯式テープカッター構成。
【請求項８】
前記フレーム部の底面には抑制用バンプが設置されることを特徴とする請求項７に記載の携帯式テープカッター構成。
【請求項９】
前記主要組立用部材、前記組立用部材及び前記結合用部材は柱頭に係合用凸部が設けられることを特徴とする請求項８に記載の携帯式テープカッター構成。
【請求項１０】
前記後蓋には当接用リブが設けられ、前記前蓋には抑制用リブが設けられることを特徴とする請求項９に記載の携帯式テープカッター構成。
【考案の詳細な説明】
【技術分野】
【０００１】
本考案は、テープカッター構成に関し、より詳しくは、携帯用テープカッター構成に関する。
【背景技術】
【０００２】
従来の卓上型テープカッター構造は、台本体が卓上に置かれ、前記台本体の重量が重い上に前記台本体の底面に滑り止めパッドを有するため、使用者がテープを引いた際に引く力が強すぎて前記台本体が移動してしまう事象が防止され、使用者の作業に影響を及ぼさないようになっている。また、前記台本体には凹型溝を有し、前記凹型溝の両側には装設溝が設けられ、軸心がテープロールに着接された後、前記軸心が２つの前記装設溝に着接され、前記軸心が２つの前記装設溝上で回転を行う。これにより、使用者がテープを引っ張る際に軸心がテープが引かれる方向に追従して回転を行い、使用者がより長いテープを使用可能になる。前記台本体の前端にはカッターを有し、引き出されたテープは前記カッターにより裁断され、使用者が裁断されたテープを物品に貼ることができるようになる。
【０００３】
他の従来の技術によるコンパクト型テープカッター構造も同様に台本体を有する。但し、使用者が携帯しやすいように前記台本体が軽くなっており、同様に軸心が着接される凹型溝を有し、前記軸心にはテープロールが着接され、カッターが前記台本体の前端に位置され、使用者がテープを裁断後に使用可能になる。
【考案の概要】
【考案が解決しようとする課題】
【０００４】
しかしながら、前述した従来の技術では、どちらにも本考案者が改善を目指す多くの欠点が存在する。従来の卓上型テープカッターは片手でテープの裁断作業を行えるが、体積が大きく、重量も重いため、使用者は携帯できなかった。また、コンパクト型テープカッターは前記台本体が軽量であり、体積も小さいため、使用者が携帯可能であるが、使用時にテーブルに置いて使用できないため、使用者は両手を使わなければならず、片手で前記台本体を掴み、もう片方の手でテープを前記カッターの箇所まで引っ張って裁断を行わねばならない。ゆえに、両方の利点を兼ね備えたテープカッター構造は存在せず、使用者が携帯可能であり、片手でテープの裁断作業を行える構造が望まれた。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、携帯用テープカッター構成を提供することを主目的とする。
【課題を解決するための手段】
【０００７】
上述した課題を解決し、目的を達成するために、本考案に係る携帯用テープカッター構成の特徴は、内側空間に主要組立用部材、収容溝及び位置決め用リブが設置される後蓋と、前記収容溝に装設される弾性部材と、押し部、押下部、プラットフォーム、孔部、圧縮用バンプ、係合リング及び挟持用スライダーが設置され、前記後蓋に装設され、前記主要組立用部材には前記孔部が貫通させ、前記挟持用スライダーが前記位置決め用リブに着接され、前記圧縮用バンプが前記収容溝前端に位置されるプッシュ用キャリアーと、中空の回転軸、弧状の当接部及びカッターが設置され、前記回転軸により前記主要組立用部材に装設される回転カッターセットと、前記係合リングに結合され、テープ先が前記プラットフォームに静置されるテープロールと、前記後蓋に固定されるように結合される前蓋とを備える。本考案は開口部及び出口部を有し、前記押し部は前記開口部に位置され、携帯式テープカッター構造が形成される。
【考案の効果】
【０００８】
前述の構造により、使用者は片手で本考案を握り持ち、前記出口部を下に向け、テープ先を物品の表面に貼り付けた後、本考案を後に向けて引っ張るとテープの貼付する部分が伸び、使用者が貼り付けたい範囲に達したら前記プッシュ用キャリアーを押して前記回転カッターセットを連動させてテープの裁断を行い、片手でのテープカッターの操作が完了する。使用者が本考案を携帯可能になるのみならず、片手でテープを引き出して切り取る作業が行えるようになり、素早く簡単に使用可能にするという要求を達成させる。
【図面の簡単な説明】
【０００９】
【図１】本考案の好ましい実施形態を説明する概略図（一）である。
【図２】本考案の好ましい実施形態を説明する概略図（二）である。
【図３】本考案の好ましい実施形態を説明する概略図（三）である。
【図４】本考案の好ましい実施形態を説明する概略図（四）である。
【図５】本考案の好ましい実施形態を説明する概略図（五）である。
【図６】本考案の好ましい実施形態を説明する概略図（六）である。
【図７】本考案の好ましい実施形態を説明する概略図（七）である。
【図８】本考案の好ましい実施形態を説明する概略図（八）である。
【図９】本考案の好ましい実施形態を説明する概略図（九）である。
【図１０】本考案の好ましい実施形態を説明する概略図（十）である。
【図１１】本考案の好ましい実施形態を説明する概略図（十一）である。
【図１２】本考案の好ましい実施形態を説明する概略図（十二）である。
【図１３】本考案の好ましい実施形態を説明する概略図（十三）である。
【図１４】本考案の好ましい実施形態を説明する概略図（十四）である。
【図１５】本考案の好ましい実施形態を説明する概略図（十五）である。
【図１６】本考案の好ましい実施形態を説明する概略図（十六）である。
【図１７】本考案の好ましい実施形態を説明する概略図（十七）である。
【図１８】本考案の好ましい実施形態を説明する概略図（十八）である。
【図１９】本考案の好ましい実施形態を説明する概略図（十九）である。
【考案を実施するための形態】
【００１０】
以下に図面を参照して、本考案を実施するための形態について、詳細に説明する。なお、本考案は、以下に説明する実施形態に限定されるものではない。
【００１１】
以下、図１乃至１９を参照しながら、本実施例をさらに詳しく説明する。本考案の携帯用テープカッター構成は、前端に出口部（１１）が設けられ、上面に開口部（１２）が設けられ、内側空間（１３）に主要組立用部材（１４）、収容溝（１５）及び位置決め用リブ（１６）が設置される後蓋（１）と、前記収容溝（１５）内に装設される弾性部材（２）と、プレート（３１）の前側面（３１１）の上端に押し部（３２）が設けられ、前記押し部（３２）からは押下部（３３）が前に向けて延伸され、前記前側面（３１１）にはバンプ部（３４）及びプラットフォーム（３５）が設置され、前記プレート（３１）には孔部（３１２）が設けられ、前記プレート（３１）の後側面（３１４）には圧縮用バンプ（３６）が設置され、前記プレート（３１）の後端には係合リング（３７）が設置され、前記係合リング（３７）の背面には挟持用スライダー（３８）が設置され、前記後蓋（１）に装設され、且つ前記主要組立用部材（１４）は前記孔部（３１２）に貫設され、前記挟持用スライダー（３８）は前記位置決め用リブ（１６）に着接され、前記圧縮用バンプ（３６）が前記収容溝（１５）及び前記弾性部材（２）の前端に位置され、前記押し部（３２）が前記開口部（１２）に位置されるプッシュ用キャリアー（３）と、フレーム部（４１）の後端に中空の回転軸（４２）が設置され、前記フレーム部（４１）の上端に弧状の当接部（４３）が設けられ、前記フレーム部（４１）の前端にカッター（４４）が装設され、前記回転軸（４２）により前記後蓋（１）の前記主要組立用部材（１４）に装設され、前記バンプ部（３４）が前記フレーム部（４１）の底面に当接される回転カッターセット（４）と、前記係合リング（３７）に結合され、引き出されたテープ先（５１）が前記プッシュ用キャリアー（３）の前記プラットフォーム（３５）に平らに静置されるテープロール（５）と、前端には出口部（６１）が設けられ、上面に開口部（６２）が設けられ、前記後蓋（１）に固定されるように結合され、完全な携帯用テープカッター（Ａ）が形成される前蓋（６）とを備える。
【００１２】
前述の構造により、使用者は片手で本考案を握り持ち、前記出口部（１１）（６１）を下に向けて前記テープ先（５１）を物品の表面に貼り付ける。続いて、本考案を後に向けて引くとテープの貼付部分が伸び、使用者が貼り付ける範囲に達した後、前記プッシュ用キャリアー（３）を押すことにより前記回転カッターセット（４）が連動されてテープが裁断され、片手でのテープカッターの操作が完遂される。使用者が本考案を携帯可能になるのみならず、片手でテープを引き出して切り取る作業を行えるようになり、素早く簡単に使用可能にするという要求を満たす。
【００１３】
なお、前記後蓋（１）の前記出口部（１１）には組立用部材（１１１）が設置され、抑制用ホイール（７）が装設され、前記前蓋（６）の前記出口部（６１）には組立用凸部（６１１）が設置され、前記組立用部材（１１１）及び前記組立用凸部（６１１）が結合されることで完全な組立用部材となる。前記テープ先（５１）が物品の表面に貼り付けられ、且つ後に向けて引かれると、前記抑制用ホイール（７）がテープに当接されると共に圧迫させ、前記テープが物品の表面に貼付され、貼付及び貼着効果を達成させる。
【００１４】
前記前側面（３１１）には結合用部材（３１３）が設置され、前記結合用部材（３１３）には補助ロール（８）が装設され、前記補助ロール（８）にはリブ（８１）が設けられる。前記テープの貼付作業において、前記テープの一部が前記補助ロール（８）の上リブに貼り付けられ、前記テープが本考案の内部で部分的に固定される効果が達成される。
【００１５】
前記後蓋（１）にはカッター収容溝（１７）が設けられ、前記前蓋（６）にはカッター収容溝（６３）が設けられ、２つの前記カッター収容溝（１７）（６３）により完全に連通される溝が形成される。使用者が前記押し部（３２）を後に向けて押すと、前記押下部（３３）が前記回転カッターセット（４）の前記当接部（４３）に当接されると共に圧迫させ、前記回転カッターセット（４）が前記回転軸（４２）を中心として回転を行い、前記回転カッターセット（４）が下に向けて前記テープを切断させる。２つの前記カッター収容溝（１７）（６３）が設置されることにより、前記カッター（４４）がより深く切断を行うようになり、前記テープがより効果的に裁断され、裁断された前記テープが物品の表面に貼り付けられる。また、前記プラットフォーム（３５）にはリブ（３５１）が設けられ、前記テープ先（５１）が部分的に前記リブ（３５１）に貼付され、前記フレーム部（４１）の底面には当接用バンプ（４５）が設けられ、前記フレーム部（４１）の底面には抑制用バンプ（４６）が設けられる。前記回転カッターセット（４）が回転を行うと、前記当接用バンプ（４５）が前記リブ（３５１）に当接され、前記テープが裁断された後、新たに引き出された前記テープ先（５１）が前記リブ（３５１）に貼り付けられ、新しい前記テープ先（５１）が乱雑にならない。前記カッター（４４）による切断時に前記抑制用バンプ（４６）が前記カッター（４４）の一側で新たに引き出された前記テープ先（５１）の端部を押さえつけ、微力の引張力で切断が補助される効果が達成される。また、新たに引き出された前記テープ先（５１）の端部は前記カッター（４４）に貼着されない。
前記後蓋（１）の前記出口部（１１）には停止用凸部（１１２）が設けられ、前記前蓋（６）の前記出口部（６１）には停止用凸部（６１２）が設けられ、２つの前記停止用凸部（１１２）（６１２）により前記テープ先（５１）の端部が前記抑制用ホイール（７）に連れて上に向けて巻き取られる事象が防止され、前記テープ先（５）が正確な位置に位置される。
【００１６】
前記主要組立用部材（１４）、前記組立用部材（１１１）及び前記結合用部材（３１３）は柱頭に係合用凸部が設けられる。前記回転カッターセット（４）、前記抑制用ホイール（７）及び前記輔助ロール（８）がそれぞれ装設される際に前記係合用凸部が前記回転カッターセット（４）の前記回転軸（４２）、前記抑制用ホイール（７）及び前記輔助ロール（８）に係合され、固定されるように係合されて脱落しなくなる。
【００１７】
前記後蓋（１）には当接用リブ（１８）が設けられ、前記プッシュ用キャリアー（３）は前記挟持用スライダー（３８）により前記位置決め用リブ（１６）に係合される。前記プッシュ用キャリアー（３）の滑動時に前記当接用リブ（１８）が前記プッシュ用キャリアー（３）を安定させる。前記前蓋（６）には抑制用リブ（６４）が設けられ、前記抑制用リブ（６４）は本考案の装設後に前記テープロール（５）及び前記係合リング（３７）を抑制させ、前記プッシュ用キャリアー（３）が押される際に安定する効果が達成される。また、前記後蓋（１）にはスライド溝（１９）が設けられ、前記前蓋（６）にはスライド溝（６５）が設けられ、前記プッシュ用キャリアー（３）の両側にはスライドシャフト（３９）が設置される。前記プッシュ用キャリアー（３）の滑動時に、２つの前記スライド溝（１９）（６５）及び前記スライドシャフト（３９）により前記プッシュ用キャリアー（３）の安定効果が達成される。また、前記孔部（３１２）の底縁にはスライド溝（３１２１）が設けられ、前記回転軸（４２）の底端にはスライド溝バンプ（４２１）が設けられ、前記スライド溝（３１２１）及び前記スライド溝バンプ（４２１）により前記プッシュ用キャリアー（３）の前半段の安定が効果的に補助される。
【００１８】
全体的に、本考案の携帯用テープカッター構成により、従来の技術の欠点が改善され、さらに本考案の特徴も発揮される。使用者が本考案を携帯可能になるのみならず、片手でテープを引き出して切り取る作業を完遂でき、素早く簡単に使用可能にするという要求が達成される。
【００１９】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求に含まれるものと解釈すべきである。
【符号の説明】
【００２０】
（Ａ）  携帯式テープカッター
（ａ）  部分拡大区
（１）  後蓋
（１１）  出口部
（１１１）  組立用部材
（１１２）  停止用凸部
（１２）  開口部
（１３）  内側空間
（１４）  主要組立用部材
（１５）  収容溝
（１６）  位置決め用リブ
（１７）  カッター収容溝
（１８）  当接用リブ
（１９）  スライド溝
（２）  弾性部材
（３）  プッシュ用キャリアー
（３１）  プレート
（３１１）  前側面
（３１２）  孔部
（３１２１）  スライド溝
（３１３）  結合用部材
（３１４）  後側面
（３２）  押し部
（３３）  押下部
（３４）  バンプ部
（３５）  プラットフォーム
（３５１）  リブ
（３６）  圧縮用バンプ
（３７）  係合リング
（３８）  挟持用スライダー
（３９）  スライドシャフト
（４）  回転カッターセット
（４１）  フレーム部
（４２）  回転軸
（４２１）  スライド溝バンプ
（４３）  当接部
（４４）  カッター
（４５）  当接用バンプ
（４６）  抑制用バンプ
（５）  テープロール
（５１）  テープ先
（５２）  テープ
（６）  前蓋
（６１）  出口部
（６１１）  組立用凸部
（６１２）  停止用凸部
（６２）  開口部
（６３）  カッター収容溝
（６４）  抑制用リブ
（６５）  スライド溝
（７）  抑制用ホイール
（８）  補助ロール
（８１）  リブ
【図１】
0003215593.tif 000003
【図２】
0003215593.tif 000004
【図３】
0003215593.tif 000005
【図４】
0003215593.tif 000006
【図５】
0003215593.tif 000007
【図６】
0003215593.tif 000008
【図７】
0003215593.tif 000009
【図８】
0003215593.tif 000010
【図９】
0003215593.tif 000011
【図１０】
0003215593.tif 000012
【図１１】
0003215593.tif 000013
【図１２】
0003215593.tif 000014
【図１３】
0003215593.tif 000015
【図１４】
0003215593.tif 000016
【図１５】
0003215593.tif 000017
【図１６】
0003215593.tif 000018
【図１７】
0003215593.tif 000019
【図１８】
0003215593.tif 000020
【図１９】
0003215593.tif 000021